(57)【要約】      （修正有）【課題】偶像を強調して載置できるようにするとともに、縁起性の価値を相乗的に向上させる神棚を提供する。【解決手段】開運招福を象徴する置物としての偶像Ｓを有する神棚Ｋであって、偶像を載置する載置面２を有した台座１と、台座の後部に立設されるとともに正面から見て載置される偶像の投影面よりも広い面を有し神社を象徴的に表出した背板部１０と、台座の少なくとも前部に設けられる欄干２０とを備える。背板部１０は、板本体１１と、板本体の前側の左右に設けられる一対の柱１２と、一対の柱の上部間に架設される棟木１３と、板本体の上部に設けられ前側に突出する庇部１８を有した屋根１４とを備える。【選択図】図１
0003197217.tif 000002
【実用新案登録請求の範囲】
【請求項１】
開運招福を象徴する置物としての偶像の神棚であって、
偶像を載置する載置面を有した台座と、該台座の後部に立設されるとともに正面から見て上記載置される偶像の投影面よりも広い面を有し神社を象徴的に表出した背板部と、上記台座の少なくとも前部に設けられる欄干とを備えたことを特徴とする神棚。
【請求項２】
上記背板部を、板本体と、該板本体の前側の左右に設けられる一対の柱と、該一対の柱の上部間に架設される棟木と、上記板本体の上部に設けられ前側に突出する庇部を有した屋根とを備えて構成したことを特徴とする請求項１記載の神棚。
【請求項３】
上記棟木の両端部を、上記柱から外側に突出させたことを特徴とする請求項２記載の神棚。
【請求項４】
上記台座の載置面に絨毯を敷設したことを特徴とする請求項１乃至３何れかに記載の神棚。
【請求項５】
上記欄干を上記背板部のある部分を除く台座の外周に連続形成したことを特徴とする請求項１乃至４何れかに記載の神棚。
【請求項６】
上記欄干の左右に夫々擬宝珠を設けるとともに上記背板部の前面に飾りを設けたことを特徴とする請求項１乃至５何れかに記載の神棚。
【請求項７】
上記偶像は、招き猫，福助，お福，達磨，恵比寿，大黒天，毘沙門天，弁財天，福禄寿，寿老人，布袋，吉祥天のいずれかを表出していることを特徴とする請求項１乃至６何れかに記載の神棚。
【考案の詳細な説明】
【技術分野】
【０００１】
本考案は、招き猫や福助など開運招福を象徴する偶像を載置する神棚に関する。
【背景技術】
【０００２】
従来から、開運招福を象徴する置物としての偶像としては、例えば、ラッキーゴッドと言われ、招き猫，福助，お福（おかめ、お多福ともいわれる），達磨，恵比寿，大黒天，毘沙門天，弁財天，福禄寿，寿老人，布袋，吉祥天等が知られている。これらの偶像は、例えば、陶磁器，プラスチック，和紙の張り子等で形成されている。
例えば、招き猫の像としては、実用新案登録第３１４６８１０号公報（特許文献１），実用新案登録第３０１８５６９号公報（特許文献２）、あるいは、特開平９−２３４２９１号公報（特許文献３）等に記載された技術が知られている。招き猫においては、猫が座して正面を向き、少なくとも前脚である右手及び／または左手を手招きをするように顔の横に持ち上げて位置させた姿勢に形成される。招き猫は、一般に、「福猫」として、右手（前脚）を挙げている猫は金運を招き、左手（前脚）を挙げている猫は人（客）を招くとされ、また、これに由来して、学業向上，交通安全，病除け，魔除け，厄除けや幸運の象徴とされ、家の中などに置かれて飾られる。
【先行技術文献】
【特許文献】
【０００３】
【特許文献１】実用新案登録第３１４６８１０号公報
【特許文献２】実用新案登録第３０１８５６９号公報
【特許文献３】特開平９−２３４２９１号公報
【考案の概要】
【考案が解決しようとする課題】
【０００４】
ところで、上記招き猫等の偶像にあっては、開運招福を象徴する縁起物ではあるが、これを飾っておく専用の台がなく、仮に、種々の台に載せたとしても、強調性に劣るという問題もある。また、より一層縁起物としての価値を高めたいという要請もある。
本考案は上記の問題点に鑑みて為されたもので、偶像を強調して載置することができるようにするとともに、縁起性の価値を相乗的に向上させることのできる神棚を提供することを目的とする。
【課題を解決するための手段】
【０００５】
このような目的を達成するための本考案の神棚は、開運招福を象徴する置物としての偶像の神棚であって、偶像を載置する載置面を有した台座と、該台座の後部に立設されるとともに正面から見て上記載置される偶像の投影面よりも広い面を有し神社を象徴的に表出した背板部と、上記台座の少なくとも前部に設けられる欄干とを備えた構成としている。
【０００６】
これを用いるときは、偶像を台座の載置面に載置する。この状態においては、偶像の背面には背板部が設けられ、しかも、この背板部には神社が象徴的に表出されているので、偶像が強調され、そのため、偶像の見栄えを良くして外観品質を向上させることができる。また、偶像の前側には、欄干があるので、これによっても偶像が強調され、より一層、見栄えを良くして外観品質を向上させることができる。
【０００７】
更に、背板部は神社を象徴的に表出しているので、縁起性の価値を相乗的に向上させることができる。即ち、神社の祭祀対象は、主に神道の神、あるいは、日本古来の民俗神、人物、伝説上の人物、陰陽道の神、外来の神等も含まれ、極めて縁起性が高いものであることから、この神社を象徴的に表出した背板部をバックに偶像が載置されると、偶像と背板部とで縁起性の価値を相乗的に向上させることができるのである。これにより、五穀豊穣、大漁追福、商売繁盛、家内安全、無病息災、安寧長寿、夫婦円満、子孫繁栄、祖先崇拝や招福祈願、厄除祈念など多岐に渡って、御利益のある縁起物として用いることができる。
【０００８】
そして、必要に応じ、上記背板部を、板本体と、該板本体の前側の左右に設けられる一対の柱と、該一対の柱の上部間に架設される棟木と、上記板本体の上部に設けられ前側に突出する庇部を有した屋根とを備えて構成している。柱，棟木，屋根を設けたので、構造を簡単にして神社を表出することができる。
【０００９】
また、必要に応じ、上記棟木の両端部を、上記柱から外側に突出させた構成としている。より一層、神社のように見せることができる。
【００１０】
更に、必要に応じ、上記台座の載置面に絨毯を敷設した構成としている。豪華にすることができ、見栄えを良くして外観品質を向上させることができる。
【００１１】
更にまた、必要に応じ、上記欄干を上記背板部のある部分を除く台座の外周に連続形成した構成としている。偶像が欄干に囲繞されるので、偶像がより一層協調され、より一層見栄えを良くして外観品質を向上させることができる。
【００１２】
また、必要に応じ、上記欄干の左右に夫々擬宝珠を設けるとともに上記背板部の前面に飾りを設けた構成としている。より一層見栄えを良くして外観品質を向上させることができる。
【００１３】
そして、上記偶像は、招き猫，福助，お福，達磨，恵比寿，大黒天，毘沙門天，弁財天，福禄寿，寿老人，布袋，吉祥天のいずれかを表出している構成にすることができる。これらは、ラッキーゴッドと言われ、特に、招き猫は、一般に、「福猫」として、右手（前脚）を挙げている猫は金運を招き、左手（前脚）を挙げている猫は人（客）を招くとされ、また、これに由来して、学業向上，交通安全，病除け，魔除け，厄除けや幸運の象徴とされている。
【考案の効果】
【００１４】
本考案によれば、偶像を台座の載置面に載置すると、偶像の背面には背板部が設けられ、しかも、この背板部には神社が象徴的に表出されているので、偶像が強調され、そのため、偶像の見栄えを良くして外観品質を向上させることができる。また、偶像の前側には、欄干があるので、これによっても偶像が強調され、より一層、見栄えを良くして外観品質を向上させることができる。更に、背板部は神社を象徴的に表出しているので、縁起性の価値を相乗的に向上させることができる。即ち、神社の祭祀対象は、主に神道の神、あるいは、日本古来の民俗神、人物、伝説上の人物、陰陽道の神、外来の神等も含まれ、極めて縁起性が高いものであることから、この神社を象徴的に表出した背板部をバックに偶像が載置されると、偶像と背板部とで縁起性の価値を相乗的に向上させることができるのである。
【図面の簡単な説明】
【００１５】
【図１】本考案の実施の形態に係る神棚を偶像を載置した状態で示す斜視図である。
【図２】本考案の実施の形態に係る神棚を示す正面図である。
【図３】本考案の実施の形態に係る神棚を示す図２中Ａ−Ａ線横断面図である。
【考案を実施するための形態】
【００１６】
以下、添付図面に基づいて、本考案の実施の形態に係る神棚について詳細に説明する。
図１乃至図３には、本考案の実施の形態に係る神棚Ｋを示している。この神棚Ｋは、開運招福を象徴する偶像Ｓを載置するものである。
この神棚Ｋは、偶像Ｓを載置する載置面２を有した矩形板状の台座１と、台座１の後部に立設されるとともに正面から見て載置される偶像Ｓの投影面よりも広い面を有し神社を象徴的に表出した背板部１０と、台座１の少なくとも前部に設けられる欄干（高欄）２０とを備えて構成されている。全体の大きさは、室内の棚などに載置できる程度の大きさであり、例えば、横幅ＬがＬ＝２３０ｍｍ、奥行きＤがＤ＝８０ｍｍ、高さＨがＨ＝１６０ｍｍ程度に形成される。大きさはこれに限定されるものではない。
【００１７】
詳しくは、台座１は、木製であり、矩形状の底板３に、上板４を中間板５を介して夫々接着剤で接合した層状に形成されている。上板４及び中間板５は、底板３の外周に所定幅の露出面６が形成されるように底板３より小さく形成されるとともに、底板３の略中央に設けられている。底板３の外周の所定幅は、背板部１０や欄干２０が設置される寸法に設定されている。また、上板４には絨毯７が敷設されている。
【００１８】
背板部１０は、木製であり、矩形板状の板本体１１と、板本体１１の前側の左右に接着固定され板本体１１より突出する一対の柱１２と、一対の柱１２の上部間に架設され板本体１１に接着固定される断面矩形板状の棟木１３と、柱１２の上端上であって板本体１１の上部に設けられ板本体１１に接着固定される屋根１４とを備えて構成されている。棟木１３の両端部１３ａは柱１２から外側に所定寸法突出させられている。柱１２の裏面には棟木１３が貫通する貫通溝１６が形成されている。また、一対の柱１２の下部間には、板本体１１に接着固定される断面矩形板状の下木１５が設けられている。そして、この背板部１０の下端部が、底板３の後側の露出面６，上板４の後側の端面及び中間板５の後側の端面に、接着固定されている。
【００１９】
また、屋根１４は、板本体１１に接着剤固定され棟木１３より長い略矩形板状の基板１７と、この基板１７の前面の上部に接着固定され、前側下方に向けて傾斜した基板１７と同じ長さの板状の庇部１８と、基板１７の上端に接着固定され基板１７より長い棒状の笠木１９とを備えて構成されている。
【００２０】
欄干２０は、木製であり、幅が底板３の露出面６の所定幅と同じ寸法に設定された複数の横棒材２１を、間隔をあけて縦棒材２２で接合したもので、全体の高さＨの約４分の１程度の高さになるように形成され、背板部１０のある部分を除く台座１の外周に連続形成されている。欄干２０の下の横棒材２１が、底板３の露出面６，上板４の端面及び中間板５の端面に、接着固定されている。
【００２１】
また、欄干２０の左右に夫々擬宝珠２３が設けられている。また、背板部１０の前面の中央上部には、飾り２４が設けられている。尚、飾りとしては、種々の形態のものを各所に種々設けてよい。
【００２２】
従って、この神棚Ｋを使用するときは、図１に示すように、台座１の載置面２に偶像Ｓを載置する。偶像Ｓは、招き猫，福助，お福，達磨，恵比寿，大黒天，毘沙門天，弁財天，福禄寿，寿老人，布袋，吉祥天のいずれかを表出している。図１には、招き猫の偶像Ｓを一対並置した例を示す。この偶像Ｓは、例えば、陶磁器，プラスチック，和紙の張り子等で構成され、猫が座して正面を向き、少なくとも前脚である右手あるいは左手の一方を手招きをするように顔の横に持ち上げて位置させた姿勢に形成される。招き猫は、一般に、「福猫」として、右手（前脚）を挙げている猫は金運を招き、左手（前脚）を挙げている猫は人（客）を招くとされ、また、これに由来して、学業向上，交通安全，病除け，魔除け，厄除けや幸運の象徴とされている。
【００２３】
この状態においては、背板部１０は、一対の柱１２，棟木１３，屋根１４を備えているので、構造を簡単にして神社を表出することができる。更に、棟木１３の両端部１３ａが柱１２から外側に突出させられているので、より一層、神社のように見せることができる。そして、偶像Ｓの背面には、この神社が象徴的に表出された背板部１０があるので、偶像Ｓが強調され、そのため、偶像Ｓの見栄えを良くして外観品質を向上させることができる。また、偶像Ｓの前側には、欄干２０があるので、これによっても偶像Ｓが強調され、より一層、見栄えを良くして外観品質を向上させることができる。
【００２４】
更に、背板部１０は神社を象徴的に表出しているので、縁起性の価値を相乗的に向上させることができる。即ち、神社の祭祀対象は、主に神道の神、あるいは、日本古来の民俗神、人物、伝説上の人物、陰陽道の神、外来の神等も含まれ、極めて縁起性が高いものであることから、この神社を象徴的に表出した背板部１０をバックに偶像Ｓが載置されると、偶像Ｓと背板部１０とで縁起性の価値を相乗的に向上させることができるのである。これにより、五穀豊穣、大漁追福、商売繁盛、家内安全、無病息災、安寧長寿、夫婦円満、子孫繁栄、祖先崇拝や招福祈願、厄除祈念など多岐に渡って、御利益のある縁起物として用いることができる。
【００２５】
また、偶像Ｓは、台座１の載置面２に敷設された絨毯７に載置されるので、豪華にすることができ、見栄えを良くして外観品質を向上させることができる。更にまた、偶像Ｓが欄干２０に囲繞されるので、偶像Ｓがより一層協調され、より一層見栄えを良くして外観品質を向上させることができる。また、欄干２０の左右に夫々擬宝珠２３が設けられており、また、背板部１０の前面の中央上部には飾り２４が設けられているので、より一層見栄えを良くして外観品質を向上させることができる。
【００２６】
尚、上記実施の形態において、背板部１０の構成は上述したものに限定されるものではなく、神社を象徴的に印刷した写真，絵などでもよく、適宜変更して差支えない。また、上記実施の形態において、台座１，背板部１０及び欄干２０の形状や大きさは上述したものに限定されるものではなく、例えば台座１を円形にする等適宜変更して差支えない。
【００２７】
尚また、上記実施の形態では、開運招福を象徴する偶像Ｓとして、招き猫を表出したもので説明したが、必ずしもこれに限定されるものではなく、偶像Ｓは、福助，お福，達磨，恵比寿，大黒天，毘沙門天，弁財天，福禄寿，寿老人，布袋，吉祥天のいずれかを表出していても良いことは勿論である。
【産業上の利用可能性】
【００２８】
本考案によって、神棚Ｋを単体で提供し、あるいは、偶像Ｓとセットで提供することもできる。そして、偶像Ｓを載置すれば、偶像Ｓと神社のそれぞれ独立した縁起物として機能を発揮することは勿論のこと、二者が一体となってこれまでにない大きなパワーを持つ縁起物が誕生することになる。そして、この形態が世の中に認証された暁には、人々に幸福を与え、楽しませ、産業上においても多大の貢献をするものと思われる。
【符号の説明】
【００２９】
Ｋ  神棚
Ｓ  偶像
１  台座
２  載置面
３  底板
４  上板
５  中間板
６  露出面
７  絨毯
１０  背板部
１１  板本体
１２  柱
１３  棟木
１４  屋根
１５  下木
１７  基板
１８  庇部
１９  笠木
２０  欄干
２３  擬宝珠
２４  飾り
【図１】
0003197217.tif 000003
【図２】
0003197217.tif 000004
【図３】
0003197217.tif 000005